(57)【要約】【課題】洗い場側から流れてくる髪の毛が取手に絡みつくことを防止し、ヘアキャッチャアに絡みついた髪の毛を捨てる時の清掃性を向上させる。【解決手段】ヘアキャッチャア２は、第１、第２の爪６、７を備え、ヘアキャッチャア２を受ける受け部材３には、通水用開口部１５と通水用開口部１５の一部を切り欠いた一対の切り欠き部１６、１６’が形成され、さらに受け部材３の内周面には互いに深さの異なる第１及び第２の嵌合溝１７、１８がそれぞれ１８０°の領域に形成されており、第１及び第２の嵌合溝１７、１８にへアキャッチャア２の第１及び第２の爪６、７が嵌合し、第１の嵌合溝１７の所定位置に形成された係合用凸部８が第１の爪６の被係合用凹部９が係合されて、取手１０が必ず浴室側（下流側）に向くようにへアキャッチャア２が設置される。【選択図】図３
2008240306.tif 000002
【特許請求の範囲】
【請求項１】
通水部及び爪を備えたヘアキャッチャアと、通水用開口部が形成された受け部材とからなり、受け部材の内周面には嵌合溝が形成されており、該嵌合溝にへアキャッチャアの爪が嵌合し、嵌合溝の所定位置に形成された係合部に、爪の被係合部が係合して固定されるへアキャチャアセットであって、受け部材は嵌合深さがそれぞれ異なる複数の嵌合溝を備え、へアキャァチャアの爪は少なくとも１つの嵌合溝には嵌合するが、少なくとも１つの嵌合溝には嵌合しない大きさである爪を少なくともｌつ備えていることを特徴とするへアキャチャアセット。
【請求項２】
請求項ｌ記載のへアキャッチャアセットであって、へアキャッチャアは複数の嵌合溝に各々嵌合する複数の爪を備えていることを特徴とするヘアキャッチャアセット。
【請求項３】
請求項２記載のヘアキャッチャアセットであって、へアキャッチャアの複数の爪は互い  に対向する位置に形成され、受け部材の通水用開口部の内周縁の一部に、前記複数の爪に対応する切り欠きが形成されていることを特徴とするヘアキャッチャアセット。
【請求項４】
請求項１から３いずれかに記載のへアキャッチャアセットであって、受け部材の係合部は、設置場所の水の流れの下流側に位置決めされており、へアキャッチャアは受け部材の係合部に対応した位置に取手を備えていることを特徴とするヘアキャッチャアセット。
【発明の詳細な説明】
【技術分野】
【０００１】
本発明は、浴室の洗い場の床面に装着して、髪の毛を捕捉するヘアキャッチャアセットに関し、特に、ヘアキャッチャア受けに取手を備えたヘアキャッチャアを回転させてロックする構造において、ヘアキャッチャア受けに大きさの異なる溝を設け、左回しでも右回しでもロック位置が固定でき、常に排水の下流側に取手を位置させるようにするヘアキャッチャアセットに関する。
【背景技術】
【０００２】
従来、防水パンの排水構造としては、次のような構造ものがある。排水トラップにおいて、受け部材に係合突起を設けた構成が知られている（特許文献１参照）。また、防水パン排水構造において、取手を備えたヘアキャッチャアを固定するものが知られている（特許文献２参照）。
【０００３】
また、排水口の塵取り構造において、取手を備えたヘアキャチャ(塵捕集部)を回動操作によりロック又は解除できるようにしたものが構成が知られている（特許文献３参照）。さらに、排水トラップにおいて、受け部材に突起を設け、ヘアキャッチャアに取手(抓み部)を設け、回転操作によるロック機構を備えたものも知られている（特許文献４）。
【特許文献１】実開昭６３−１５６２６３号公報
【特許文献２】特開２００２−２８５６０４号公報
【特許文献３】特開２０００−０３４７６０号公報
【特許文献４】特開２００５−３２５５２４号公報
【発明の開示】
【発明が解決しようとする課題】
【０００４】
図５は、従来の取手付きヘアキャッチャア３０を浴室の排水孔に設置した状態を示す図である。取手３２の向きが、図５（ａ）に示すように、浴槽２１と反対側である洗い場の方向に向いてヘアキャッチャア３０を設置すると、洗い場側からの水の流れＦとともに流されてくる髪の毛３１が、ヘアキャッチャア３０の取手３２に絡みついてしまう。取手３２に絡みついた髪の毛３１は除去しにくく、清掃性が悪くなってしまう。
【０００５】
これに対して、取手３２の向きが、図５（ｂ）に示すように、浴槽２１側にあり、洗い場からの水の流れＦの下流側に向くようにヘアキャッチャア３０を設置すると、洗い場側から流れている髪の毛３１がヘアキャッチャア３０で捕捉でき、取手３２には絡みつきにくく、清掃性が良い。
【０００６】
このように、絡みついた髪の毛の清掃性について、その良否の原因を検討した結果、取手３２の設置方向に起因し、図５（ｂ）に示すように、水の流れＦに対してヘアキャッチャア３０の奥側（下流側）に取手３２を固定すれば、入浴時に流れてくる髪の毛３１の大半である洗い場側からの髪の毛３１が、取手３２に絡むことを防ぐことをできるという知見を得た。しかし、従来の取手付きヘアキャッチャア３０は、いろんな方向に固定できる構造となっており、必ずしも水の流れＦに対して奥側に取手３２を固定する構造ではない。
【０００７】
本発明は、上記従来のヘアキャッチャアの問題を解決することを目的とするものであり、ヘアキャッチャアを設置する際に、ロックする位置を１箇所にして取手を設けた場合の取手の位置を水の流れの下流側に固定するヘアキャッチャアセットの構造を実現することを課題とするものである。
【課題を解決するための手段】
【０００８】
本発明は上記課題を解決するために、通水部及び爪を備えたヘアキャッチャアと、通水用開口部が形成された受け部材とからなり、受け部材の内周面には嵌合溝が形成されており、該嵌合溝にへアキャッチャアの爪が嵌合し、嵌合溝の所定位置に形成された係合部に、爪の被係合部が係合して固定されるへアキャチャアセットであって、受け部材は嵌合深さがそれぞれ異なる複数の嵌合溝を備え、へアキャァチャアの爪は少なくとも１つの嵌合溝には嵌合するが、少なくとも１つの嵌合溝には嵌合しない大きさである爪を少なくともｌつ備えていることを特徴とするへアキャチャアセットを提供する。
【０００９】
上記へアキャッチャアセットは、そのへアキャッチャアは複数の嵌合溝に各々嵌合する複数の爪を備えている構成としてもよい。
【００１０】
上記ヘアキャッチャアセットは、そのへアキャッチャアの複数の爪は互いに対向する位置に形成され、受け部材の通水用開口部の内周縁の一部に、前記複数の爪に対応する切り欠きが形成されている構成としてもよい。
【００１１】
上記ヘアキャッチャアセットは、受け部材の係合部は、設置場所の水の流れの下流側に位置決めされており、へアキャッチャアは受け部材の係合部に対応した位置に取手を備えている構成としてもよい。
【発明の効果】
【００１２】
本発明に係るヘアキャッチャアセットによれば、嵌合溝が形成された受け部材と、少なくとも１つの嵌合溝には嵌合するが、少なくとも１つの嵌合溝には嵌合しない大きさの爪を備えたヘアキャッチャアを用いる構成としたので、右回りでも左回りでも１箇所に向かって回転させることができ、溝に係合部が形成されることで、特定の位置を水の流れの下流側に固定することができる。
【発明を実施するための最良の形態】
【００１３】
本発明に係るヘアキャッチャアセットを実施するための最良の形態を実施例に基づき図面を参照して、以下説明する。
【実施例１】
【００１４】
図１〜４は、本発明に係るヘアキャッチャアセットの実施例を説明する図である。この実施例のヘアキャッチャアセット１は、図３（ａ）にその平面図を示すが、ヘアキャッチャア２（図１（ａ）〜（ｃ）参照）と、ヘアキャッチャア２を受けて支持する受け部材３（図２（ａ）、（ｂ）参照）とから構成される。
【００１５】
図１（ａ）はヘアキャッチャア２の平面図であり、図１（ｂ）はヘアキャッチャア２の裏面側（下面）から見た平面図である。図１（ｃ）は図１（ａ）のＡ−Ａ断面図を示す。ヘアキャッチャア２は、格子部材のような通水部４を備えた円板５を有する。
【００１６】
円板５の周縁上の２つの位置、例えば、本実施例では円板５の周縁方向に１８０°間隔をおいて互いに対向する位置の一方に第１の爪６が、他方に第２の爪７が、それぞれ円板５の周縁から放射方向外側に張り出すように形成されている。
【００１７】
第１の爪６及び第２の爪７は、それぞれ基端は円板５の外周面に固定されている。第１の爪６の径方向の寸法ｈ１及び横幅ｗ１は、第２の爪７の径方向の寸法ｈ２及び横幅ｗ２より各々大きく形成されている。第１の爪６及び第２の爪７の厚さｔは同じである。第１の爪６の下面には、受け部材３の係合部（後記する係合用凸部８）に対して被係合部として機能する被係合用凹部９が形成されている。
【００１８】
円板５において、第１の爪６が設けられている外周面の位置の上面に取手１０が固定されている。取手１０は、断面が略¬形であり平面視で矩形の把持部１１を有し、この把持部１１の基端が垂直に屈曲されその端面が円板５の上面に固定されている。
【００１９】
図２（ａ）は受け部材３の平面図であり、図２（ｂ）は、図２（ａ）のＡ−Ａ断面図である。受け部材３は、平面視円形であり、その外周面は断面視で段状であり、大径上部１２と小径下部１３とから段部１４が形成されている。この段部１４によって、受け部材３を排水孔（図示せず）の内周面に形成された段面に載置し装着できる構成となっている。
【００２０】
受け部材３は、上面に向けた円形の通水用開口部１５を有する。この通水用開口部１５の径寸法Ｒは、ヘアキャッチャア２の径寸法ｒより大きく、ヘアキャッチャア２が通水用開口部１５に装入可能である。
【００２１】
通水用開口部１５の内周縁の一部に、例えば、本実施例では互いに１８０°間隔をおいて互いに対向する位置に一対の切り欠き１６、１６’が形成されている。この切り欠き１６、１６’は、ヘアキャッチャア２の第１の爪６及び第２の爪７に対応した位置に形成されており、切り欠き１６、１６’の周方向の幅Ｗは、いずれも第１の爪６の横幅ｗ１より大きい。
【００２２】
通水用開口部１５の内周面には、環状の第１の嵌合溝１７と第２の嵌合溝１８が形成されている。図２（ａ）に示すように、第１の嵌合溝１７は、通水用開口部１５の切り欠き１６から切り欠き１６’までの一方の側の周方向に沿う１８０°の第１の領域１９である。第２の嵌合溝１８は、通水用開口部１５の切り欠き１６’から切り欠き１６までの他方の側の周方向に沿う１８０°の第２の領域２０である。
【００２３】
図２（ａ）、（ｂ）に示すように、第１の嵌合溝１７の径方向の深さｄ１は、第２の嵌合溝１８の径方向の深さｄ２よりも大きい。第１の嵌合溝１７の径方向の深さｄ１は、第１の爪６の径方向の寸法ｈ１より大きい。そして、第２の嵌合溝１８の径方向の深さｄ２は、第１の爪６の径方向の寸法ｈ１より小さく、第２の爪７の径方向の寸法ｈ２より大きく形成されている。
【００２４】
そして、第１の嵌合溝１７及び第２の嵌合溝１８の厚み方向の幅ｓは同じであり、第１及び第２の爪７の厚さｔより大きい。これにより、第１の爪６は、第１の嵌合溝１７内に摺動するよう嵌合可能であるが、第２の嵌合溝１８内には嵌合不可能である。また、第２の爪７は、第２の嵌合溝１８内に摺動するように嵌合可能である。
【００２５】
実施例１では、第２の爪の横幅ｗ２は第１の爪の横幅ｗ１より小さく形成されているが、横幅ｗ１、ｗ２ は、切り欠き１６、１６’の周方向の幅Ｗより小さければよい。また実施例１では、第１の爪の厚さｔと第２の爪の厚さｔは同じに形成されているが、異なっていても第１の嵌合溝１７及び第２の嵌合溝１８の厚み方向の幅ｓより小さければよい。
【００２６】
第１の嵌合溝１７の周方向中央部の内面であって下側の上面に、係合部として機能する係合用凸部８が上方に向けて突設されている。この係合用凸部８は、ヘアキャッチャア２の第１の爪６の下面に形成された被係合用凹部９に係脱可能な構成である。
【００２７】
（作用）
以上の構成からなる本発明に係るヘアキャッチャアセット１の作用を図３及び図４により説明する。図３（ａ）は、本発明に係るヘアキャッチャアセット１を浴室の排水孔に設置され、取手１０が浴槽２１の方向に向いた状態の平面図を示す。このような状態にヘアキャッチャアセット１を設置するためには、まず、受け部材３を、第１の嵌合溝１７の第１の領域１９側を浴槽２１の側（浴槽側）に向けて、図３（ｂ）に示すように排水孔に装着する。
【００２８】
次に、図４（ａ）に示すように、ヘアキャッチャア２の第１の爪６及び第２の爪７を、一対の切り欠き１６及び切り欠き１６’に合うように位置させて通水用開口部１５内に嵌合する。そして、取手１０を把持し、時計針回りに少し回転させると、第１の爪６及び第２の爪７は、それぞれ第１の嵌合溝１７及び第２の嵌合溝１８内に嵌合する。
【００２９】
この状態で、さらに、ヘアキャッチャア２を矢印Ｔのように時計針回りに９０°回転させて、第１の爪６及び第２の爪７を、それぞれ第１の嵌合溝１７及び第２の嵌合溝１８内でほぼ摺動させ、図３（ａ）の位置で停止する。この位置で、係合用凸部８を被係合用凹部９内に係入させる。これによって、ヘアキャッチャア２は、受け部材３内において、取手１０が浴槽側に向いた位置（定位置）に自動的に装着することができ、しかもヘアキャッチャア２は周方向にずれたりはしない。
【００３０】
図３（ａ）に示すように装着したヘアキャッチャア２を、付着した髪の毛等（主に髪の毛であるが、繊維の糸くず等の長細いものも含む。本明細書では、単に「髪の毛」という。）を除去し洗浄するために取り外す場合には、次のようにする。即ち、取手１０を少し持ち上げて係合用凸部８を被係合用凹部９から外し、反時計針回りに９０°回転して、図４（ａ）の状態とする。そして、ヘアキャッチャア２を上方に持ち上げれば取り外すことが可能となる。
【００３１】
なお、ヘアキャッチャア２は、ヘアキャッチャア２の第１の爪６及び第２の爪７を、図４（ｂ）に示すように、受け部材３の一対の切り欠き１６’及び切り欠き１６に合うように位置させて通水用開口部１５内に嵌合し、取手１０を把持して、矢印Ｔ’に示すように、反時計針回りに９０°回転させて、図３（ａ）に示すように装着してもよい。
【００３２】
ヘアキャッチャア２は、図３（ａ）の状態に装着されると、髪の毛のからみやすい取手１０の部分が、洗い場とは反対側（浴槽側）の位置にセットされることとなる。従って、洗い場から流れてくる髪の毛は取手１０の部分がヘアキャッチャア２の通水部４で捕捉され取手１０にからみつくことが少なくなる。従って、ヘアキャッチャア２から髪の毛を除去しやすく洗浄が容易となる。
【００３３】
本発明に係るヘアキャッチャアセット１によれば、図４（ａ）のようにヘアキャッチャア２を反時計針回り、又は図４（ｂ）のように時計針回りに回転しようとしても、第１の爪６は第２の嵌合溝１８には嵌合することはできない。従って、ヘアキャッチャア２の装着時には、取手１０は、必ず、図３（ａ）に示すような受け部材３の係合用凸部８に対応した位置となるように構成されている。
【００３４】
従って、受け部材３が、その係合用凸部８が水の流れＦの下流側（浴槽側）に位置決めされるように浴室の床に装着されていれば、取手１０は、必ず、水の流れＦの下流側（浴槽側）に位置してセットされ、髪の毛がヘアキャッチャア２の通水部４で捕捉され、取手１０の部分にからみつくようなことが少なくなる。この結果、取手１０にからみついた髪の毛を除去する手間が少なくなり、洗浄が容易となる。
【００３５】
以上、本発明に係るヘアキャッチャアセットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３６】
以上の構成から成る本発明に係るヘアキャッチャアセットは、浴室の洗い場の床だけでなく、その他、洗面場等、髪の毛が流される排水孔には適用可能である。
【図面の簡単な説明】
【００３７】
【図１】本発明の実施例を説明する図であり、（ａ）はヘアキャッチャアの平面図であり、（ｂ）はヘアキャッチャアの裏面側（下面）から見た平面図であり、（ｃ）は（ａ）のＡ−Ａ断面図である。
【図２】本発明の実施例を説明する図であり、（ａ）は受け部材の平面図であり、（ｂ）は（ａ）のＡ−Ａ断面図である。
【図３】本発明の実施例を説明する図であり、（ａ）は浴槽に対しヘアキャッチャアセットが設置された状態の平面図であり、（ｂ）は浴槽に対し受け部材が設置された状態の平面図である。
【図４】本発明の実施例を説明する図であり、（ａ）、（ｂ）は、それぞれ受け部材にヘアキャッチャアを取り付けるためのプロセスを説明するためのヘアキャッチャアセットの平面図である。
【図５】従来技術の課題を説明するための図である。
【符号の説明】
【００３８】
１  ヘアキャッチャアセット                            
２  ヘアキャッチャア                                 
３  受け部材                                         
４  ヘアキャッチャアの通水部                                 
５  円板                                             
６  第１の爪                                         
７  第２の爪                                         
８  係合用凸部                                       
９  被係合用凹部                                     
１０  取手                                         
１１  取手の把持部                                 
１２  受け部材の大径上部                             
１３  受け部材の小径下部                             
１４  受け部材の段部                                 
１５  通水用開口部                                   
１６  、１６’受け部材の切り欠き                     
１７  第１の嵌合溝                                   
１８  第２の嵌合溝                                   
１９  第１の領域                                     
２０  第２の領域                                     
２１  浴槽                                           
３０  ヘアキャッチャア                               
３１  髪の毛                                         
３２  取手                                         
ｈ１  第１の爪の径方向の寸法                         
ｗ１  第１の爪の横幅                                 
ｈ２  第２の爪の径方向の寸法                         
ｗ２  横幅                                           
ｔ  第１及び第２の爪の厚さ                           
ｄ１  第１の嵌合溝の深さ                             
ｄ２  第２の嵌合溝の深さ                             
ｓ  第１の嵌合溝及び第２の嵌合溝の厚み方向の幅       
Ｗ  切り欠きの周方向の幅
Ｆ  水の流れ                             
【図１】
2008240306.tif 000003
【図２】
2008240306.tif 000004
【図３】
2008240306.tif 000005
【図４】
2008240306.tif 000006
【図５】
2008240306.tif 000007